(57)【要約】本発明は１対多サービスを識別するための方法に関する。複数の１対多サービスが１つのトランスポートチャネルに多重化されるとき、ＴＳＩ（Ｔｅｍｐｏｒａｒｙ  Ｓｅｒｖｉｃｅ  Ｉｄｅｎｔｉｆｉｅｒ）が定義されてＭＡＣ  ＰＤＵのヘッダに挿入されることにより、前記複数の１対多サービスを個別的に識別できる。従って、オーバーヘッドが減少し、同一のサービスにおいて異なるＱｏＳ（Ｑｕａｌｉｔｙ  ｏｆ  Ｓｅｒｖｉｃｅ）の複数のサービス又は異なるＱｏＳの複数のストリームを管理でき、移動端末に提供できる。
2008537869.tif 000002
【特許請求の範囲】
【請求項１】
トランスポートチャネルで複数の１対多サービスを伝送する無線通信システムにおいて、
前記１対多サービスを識別する１対多サービス識別子を前記複数の１対多サービスのそれぞれに割り当てる段階と、
前記複数の１対多サービスのそれぞれへの前記１対多サービス識別子の割当を示すためのマッピング情報を生成する段階と、
前記マッピング情報を移動端末に伝送する段階と、
前記複数の１対多サービスの少なくとも１つに関連する少なくとも１つのプロトコルデータユニットを生成するための媒体アクセス制御層を提供する段階と、
前記媒体アクセス制御層で前記少なくとも１つのプロトコルデータユニットを生成する段階と、
前記マッピング情報によって、前記少なくとも１つのプロトコルデータユニットに、前記複数の１対多サービスの少なくとも１つに割り当てられた前記１対多サービス識別子を添付する段階と、
前記割り当てられた１対多サービス識別子を含む前記少なくとも１つのプロトコルデータユニットを、前記トランスポートチャネルで前記移動端末に伝送する段階と
を含むことを特徴とする１対多サービス識別方法。
【請求項２】
前記１対多サービス識別子の割当が、ネットワークの無線リソース制御層により行われることを特徴とする請求項１に記載の１対多サービス識別方法。
【請求項３】
前記マッピング情報が、ネットワークの無線リソース制御層で生成されることを特徴とする請求項１に記載の１対多サービス識別方法。
【請求項４】
前記ネットワークの無線リソース制御層が、前記ネットワークの媒体アクセス制御層に前記マッピング情報を伝達することを特徴とする請求項３に記載の１対多サービス識別方法。
【請求項５】
前記ネットワークの無線リソース制御層が、前記移動端末の無線リソース制御層に前記マッピング情報を伝送することを特徴とする請求項３に記載の１対多サービス識別方法。
【請求項６】
前記移動端末の無線リソース制御層が、前記移動端末の媒体アクセス制御層に前記マッピング情報を伝達することを特徴とする請求項５に記載の１対多サービス識別方法。
【請求項７】
前記トランスポートチャネルがＦＡＣＨであることを特徴とする請求項１に記載の１対多サービス識別方法。
【請求項８】
前記プロトコルデータユニットが共通論理チャネルＭＴＣＨで伝送されることを特徴とする請求項１に記載の１対多サービス識別方法。
【請求項９】
前記１対多サービスのそれぞれに割り当てられた前記１対多サービス識別子の値を、ネットワークの媒体アクセス制御層に伝達する段階をさらに含むことを特徴とする請求項１に記載の１対多サービス識別方法。
【請求項１０】
前記１対多サービス識別子の値を前記移動端末の無線リソース制御層に伝送する段階をさらに含むことを特徴とする請求項９に記載の１対多サービス識別方法。
【請求項１１】
前記移動端末の無線リソース制御層が、前記１対多サービス識別子の値を前記移動端末の媒体アクセス制御層に伝達することを特徴とする請求項１０に記載の１対多サービス識別方法。
【請求項１２】
前記１対多サービス識別子が４ビットの長さを有することを特徴とする請求項１に記載の１対多サービス識別方法。
【請求項１３】
前記トランスポートチャネルが最大１６個の１対多サービスを伝送することを特徴とする請求項１に記載の１対多サービス識別方法。
【請求項１４】
前記１対多サービス識別子が、前記少なくとも１つのプロトコルデータユニットのヘッダに添付されることを特徴とする請求項１に記載の１対多サービス識別方法。
【請求項１５】
トランスポートチャネルで複数の１対多サービスを受信する無線通信システムにおいて、
前記複数の１対多サービスのそれぞれへの１対多サービス識別子の割当を示すためのマッピング情報をネットワークから受信する段階と、
前記複数の１対多サービスの少なくとも１つに関連し、かつ前記複数の１対多サービスの少なくとも１つに割り当てられた１対多サービス識別子が添付される少なくとも１つのプロトコルデータユニットを媒体アクセス制御層で受信する段階と、
前記割り当てられた１対多サービス識別子を前記マッピング情報と共に評価することにより、前記少なくとも１つのプロトコルデータユニットを処理することを決定する段階と
を含むことを特徴とする移動端末の１対多サービス識別方法。
【請求項１６】
前記１対多サービス識別子の割当が、前記ネットワークの無線リソース制御層により行われることを特徴とする請求項１５に記載の移動端末の１対多サービス識別方法。
【請求項１７】
前記マッピング情報が、前記ネットワークの無線リソース制御層で生成されることを特徴とする請求項１５に記載の移動端末の１対多サービス識別方法。
【請求項１８】
前記移動端末の無線リソース制御層が、前記ネットワークの無線リソース制御層から前記マッピング情報を受信することを特徴とする請求項１７に記載の移動端末の１対多サービス識別方法。
【請求項１９】
前記移動端末の無線リソース制御層が、前記マッピング情報を前記移動端末の媒体アクセス制御層に伝達することを特徴とする請求項１８に記載の移動端末の１対多サービス識別方法。
【請求項２０】
前記トランスポートチャネルがＦＡＣＨであることを特徴とする請求項１５に記載の移動端末の１対多サービス識別方法。
【請求項２１】
前記１対多サービスのそれぞれに割り当てられた前記１対多サービス識別子の値を受信する段階をさらに含むことを特徴とする請求項１５に記載の移動端末の１対多サービス識別方法。
【請求項２２】
前記１対多サービス識別子の値が、前記ネットワークの無線リソース制御層で生成され、前記移動端末の無線リソース制御層に伝送されることを特徴とする請求項２１に記載の移動端末の１対多サービス識別方法。
【請求項２３】
前記移動端末の無線リソース制御層が、前記１対多サービス識別子の値を前記移動端末の媒体アクセス制御層に伝達することを特徴とする請求項２２に記載の移動端末の１対多サービス識別方法。
【請求項２４】
前記１対多サービス識別子が４ビットの長さを有することを特徴とする請求項１５に記載の移動端末の１対多サービス識別方法。
【請求項２５】
前記トランスポートチャネルが最大１６個の１対多サービスを受信することを特徴とする請求項１５に記載の移動端末の１対多サービス識別方法。
【請求項２６】
前記１対多サービス識別子が、前記少なくとも１つのプロトコルデータユニットのヘッダに添付されることを特徴とする請求項１５に記載の移動端末の１対多サービス識別方法。
【請求項２７】
前記決定する段階は、
前記割り当てられた１対多サービス識別子を読み出す段階と、
前記マッピング情報を読み出すことにより、前記割り当てられた１対多サービス識別子に該当する１対多サービスマッチングを決定する段階とを含み、
ここで、前記１対多サービスマッチングが前記移動端末が受信しようとするサービスである場合、前記少なくとも１つのプロトコルデータユニットが処理され、前記１対多サービスマッチングが前記移動端末が受信しようとするサービスでない場合、前記少なくとも１つのプロトコルデータユニットが廃棄されることを特徴とする請求項１５に記載の移動端末の１対多サービス識別方法。
【発明の詳細な説明】
【技術分野】
【０００１】
本発明は移動通信システムに関し、特に、特定トランスポートチャネルで伝送されている複数の１対多サービスのうち特定１対多サービスを識別するためのＴＳＩ（Ｔｅｍｐｏｒａｒｙ  Ｓｅｒｖｉｃｅ  Ｉｄｅｎｔｉｆｉｅｒ）に関する。
【背景技術】
【０００２】
近年、移動通信システムが飛躍的に発展しているが、大容量データ通信サービスの場合、移動通信システムの性能が現在の有線通信システムの性能に達していない。これにより、大容量のデータ通信を可能にする通信システムであるＩＭＴ−２０００の技術的発展がなされており、このような技術の標準化が様々な会社や機関で活発に行われている。
【０００３】
ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）は、欧州標準であるＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）から進化した第３世代移動通信システムである。ＵＭＴＳは、ＧＳＭコアネットワークとＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）無線接続技術を基盤として向上した移動通信サービスの提供を目標とする。
【０００４】
ＵＭＴＳの標準化作業のために１９９８年１２月にヨーロッパのＥＴＳＩ、日本のＡＲＩＢ／ＴＴＣ、米国のＴ１、及び韓国のＴＴＡなどは、第３世代移動体通信システムの標準化プロジェクト（Ｔｈｉｒｄ  Ｇｅｎｅｒａｔｉｏｎ  Ｐａｒｔｎｅｒｓｈｉｐ  Ｐｒｏｊｅｃｔ；３ＧＰＰ）を構成し、現在までＵＭＴＳの詳細な標準仕様（ｓｐｅｃｉｆｉｃａｔｉｏｎ）を作成している。
【０００５】
ＵＭＴＳの迅速で効果的な技術開発を達成するために、３ＧＰＰでは、ネットワーク構成要素とこれらの動作の独立性を考慮して、ＵＭＴＳの標準化作業を５つの技術仕様グループ（Ｔｅｃｈｎｉｃａｌ  Ｓｐｅｃｉｆｉｃａｔｉｏｎ  Ｇｒｏｕｐｓ；ＴＳＧ）に分けて進めている。
【０００６】
各ＴＳＧは、関連したエリア内で標準仕様の開発、承認、及びその管理を担当するが、そのうち、無線アクセスネットワーク（Ｒａｄｉｏ  Ａｃｃｅｓｓ  Ｎｅｔｗｏｒｋ；ＲＡＮ）グループ（ＴＳＧ  ＲＡＮ）は、ＵＭＴＳにおいてＷＣＤＭＡアクセス技術をサポートするための新しい無線アクセスネットワークであるＵＴＲＡＮ（ＵＭＴＳ  Ｔｅｒｒｅｓｔｒｉａｌ  Ｒａｄｉｏ  Ａｃｃｅｓｓ  Ｎｅｔｗｏｒｋ）の機能、要求事項、及びインタフェースの仕様を開発する。
【０００７】
図１は一般的なＵＭＴＳネットワークの基本構造を示す図である。図１に示すように、ＵＭＴＳは、大きく端末（又は、ユーザ装置（ＵＥ）、ＵＴＲＡＮ１００、及びコアネットワーク（ＣＮ）２００に分けられる。
【０００８】
ＵＴＲＡＮ１００は、１つ以上の無線ネットワークサブシステム（Ｒａｄｉｏ  Ｎｅｔｗｏｒｋ  Ｓｕｂ−ｓｙｓｔｅｍｓ；ＲＮＳ）１１０、１２０を含む。各ＲＮＳ１１０、１２０は、無線ネットワーク制御装置（Ｒａｄｉｏ  Ｎｅｔｗｏｒｋ  Ｃｏｎｔｒｏｌｌｅｒ；ＲＮＣ）１１１、並びにＲＮＣ１１１により管理される複数の基地局もしくはＮｏｄｅ  Ｂ１１２、１１３から構成される。ＲＮＣ１１１は、無線リソースの割当及び管理を担当し、コアネットワーク２００に対するアクセスポイントの役割を果たす。
【０００９】
Ｎｏｄｅ  Ｂ１１２、１１３は、アップリンクで前記端末の物理層により伝送された情報を受信し、ダウンリンクで前記端末にデータを送信する。従って、Ｎｏｄｅ  Ｂ１１２、１１３は、前記端末に対するＵＴＲＡＮ１００のアクセスポイントの役割を果たす。
【００１０】
ＵＴＲＡＮ１００の主な機能は、前記端末とコアネットワーク２００間の通信が可能になるように無線アクセスベアラ（Ｒａｄｉｏ  Ａｃｃｅｓｓ  Ｂｅａｒｅｒ；ＲＡＢ）を形成して維持することである。コアネットワーク２００は、エンドツーエンドサービス品質（Ｑｕａｌｉｔｙ  ｏｆ  Ｓｅｒｖｉｃｅ；ＱｏＳ）要求事項を前記ＲＡＢに適用し、前記ＲＡＢは、コアネットワーク２００が設定したＱｏＳ要求事項をサポートする。ＵＴＲＡＮ１００が前記ＲＡＢを形成して維持することにより、エンドツーエンドＱｏＳ要求事項が満たされる。前記ＲＡＢサービスは、Ｉｕベアラサービスと無線ベアラサービスにさらに区分することができる。前記Ｉｕベアラサービスは、ＵＴＲＡＮ１００とコアネットワーク２００の境界ノード間におけるユーザデータの信頼できる伝送をサポートする。
【００１１】
コアネットワーク２００は、回線交換（Ｃｉｒｃｕｉｔ  Ｓｗｉｔｃｈｅｄ；ＣＳ）サービスをサポートするために接続された移動交換局（Ｍｏｂｉｌｅ  Ｓｗｉｔｃｈｉｎｇ  Ｃｅｎｔｅｒ；ＭＳＣ）２１０とゲートウェイ移動交換局（Ｇａｔｅｗａｙ  Ｍｏｂｉｌｅ  Ｓｗｉｔｃｈｉｎｇ  Ｃｅｎｔｅｒ；ＧＭＳＣ）２２０、及びパケット交換（Ｐａｃｋｅｔ  Ｓｗｉｔｃｈｅｄ；ＰＳ）サービスをサポートするために接続されたサービングＧＰＲＳサポートノード（Ｓｅｒｖｉｎｇ  ＧＰＲＳ  Ｓｕｐｐｏｒｔ  Ｎｏｄｅ；ＳＧＳＮ）２３０とゲートウェイＧＰＲＳサポートノード（Ｇａｔｅｗａｙ  ＧＰＲＳ  Ｓｕｐｐｏｒｔ  Ｎｏｄｅ；ＧＧＳＮ）２４０を含む。
【００１２】
特定端末に提供されるサービスは、大きく回線交換（ＣＳ）サービスとパケット交換（ＰＳ）サービスに区分される。例えば、一般的な音声対話サービスは回線交換サービスに分類され、インターネット接続によるウェブブラウジングサービスはパケット交換サービスに分類される。
【００１３】
回線交換サービスをサポートするために、ＲＮＣ１１１は、コアネットワーク２００のＭＳＣ２１０に接続され、ＭＳＣ２１０は、他のネットワークとの接続を管理するＧＭＳＣ２２０に接続される。
【００１４】
パケット交換サービスをサポートするために、ＲＮＣ１１１は、コアネットワーク２００のＳＧＳＮ２３０及びＧＧＳＮ２４０に接続される。ＳＧＳＮ２３０は、ＲＮＣ１１１へのパケット通信をサポートし、ＧＧＳＮ２４０は、インターネットなどの他のパケット交換ネットワークとの接続を管理する。
【００１５】
ネットワーク構成要素間には多様なタイプのインタフェースが存在し、これらネットワーク構成要素が相互通信のために互いに情報を送受信できるようにする。ＲＮＣ１１１とコアネットワーク２００間のインタフェースは、Ｉｕインタフェースと定義される。特に、パケット交換システムの場合、ＲＮＣ１１１とコアネットワーク２００間のＩｕインタフェースを「Ｉｕ−ＰＳ」と定義し、回線交換システムの場合、ＲＮＣ１１１とコアネットワーク２００間のＩｕインタフェースを「Ｉｕ−ＣＳ」と定義する。
【００１６】
図２は３ＧＰＰ無線アクセスネットワークの標準に準拠した端末とＵＴＲＡＮ間の無線インタフェースプロトコルの構造を示す図である。
【００１７】
図２に示すように、無線インタフェースプロトコルは、物理層と、データリンク層と、ネットワーク層とからなる水平層（ｈｏｒｉｚｏｎｔａｌ  ｌａｙｅｒ）、並びにユーザデータを伝送するためのユーザプレーン（Ｕ−ｐｌａｎｅ）と、制御情報を伝送するための制御プレーン（Ｃ−ｐｌａｎｅ）とからなる垂直プレーン（ｖｅｒｔｉｃａｌ  ｐｌａｎｅ）を有する。
【００１８】
前記ユーザプレーンは、音声やＩＰ（Ｉｎｔｅｒｎｅｔ  Ｐｒｏｔｏｃｏｌ）パケットなどのユーザのトラフィック情報を管理する領域であり、前記制御プレーンは、ネットワークのインタフェース、呼の維持及び管理などに関する制御情報を管理する領域である。
【００１９】
図２のプロトコル層は、ＯＳＩ（Ｏｐｅｎ  Ｓｙｓｔｅｍ  Ｉｎｔｅｒｃｏｎｎｅｃｔｉｏｎ）参照モデルの下位３層に基づいて、第１層（Ｌ１）、第２層（Ｌ２）、及び第３層（Ｌ３）に区分することができる。以下、各層について詳細に説明する。
【００２０】
前記第１層（Ｌ１）、すなわち物理層は、多様な無線伝送技術により上位層に情報伝送サービス（Ｉｎｆｏｒｍａｔｉｏｎ  Ｔｒａｎｓｆｅｒ  Ｓｅｒｖｉｃｅ）を提供する。前記物理層は、トランスポートチャネルを介して媒体アクセス制御（Ｍｅｄｉｕｍ  Ａｃｃｅｓｓ  Ｃｏｎｔｒｏｌ；ＭＡＣ）層と呼ばれる上位層に接続される。これらＭＡＣ層と物理層とは、トランスポートチャネルを介してデータを送受信する。
【００２１】
前記第２層（Ｌ２）は、ＭＡＣ層、無線リンク制御（Ｒａｄｉｏ  Ｌｉｎｋ  Ｃｏｎｔｒｏｌ；ＲＬＣ）層、ブロードキャスト／マルチキャスト制御（Ｂｒｏａｄｃａｓｔ／Ｍｕｌｔｉｃａｓｔ  Ｃｏｎｔｒｏｌ；ＢＭＣ）層、及びパケットデータコンバージェンスプロトコル（Ｐａｃｋｅｔ  Ｄａｔａ  Ｃｏｎｖｅｒｇｅｎｃｅ  Ｐｒｏｔｏｃｏｌ；ＰＤＣＰ）層を含む。
【００２２】
前記ＭＡＣ層は、無線リソースの割当及び再割当のためにＭＡＣパラメータの割当サービスを提供する。前記ＭＡＣ層は、論理チャネルを介してＲＬＣ層と呼ばれる上位層に接続される。
【００２３】
伝送される情報の種類によって多様な論理チャネルが提供される。一般に、制御プレーンの情報を伝送する場合は制御チャネルが使用される。ユーザプレーンの情報を伝送する場合はトラフィックチャネルが使用される。論理チャネルは、共有するか否かによって共通チャネル又は専用チャネルになる。論理チャネルは、ＤＴＣＨ（Ｄｅｄｉｃａｔｅｄ  Ｔｒａｆｆｉｃ  Ｃｈａｎｎｅｌ）、ＤＣＣＨ（Ｄｅｄｉｃａｔｅｄ  Ｃｏｎｔｒｏｌ  Ｃｈａｎｎｅｌ）、ＣＴＣＨ（Ｃｏｍｍｏｎ  Ｔｒａｆｆｉｃ  Ｃｈａｎｎｅｌ）、ＣＣＣＨ（Ｃｏｍｍｏｎ  Ｃｏｎｔｒｏｌ  Ｃｈａｎｎｅｌ）、ＢＣＣＨ（Ｂｒｏａｄｃａｓｔ  Ｃｏｎｔｒｏｌ  Ｃｈａｎｎｅｌ）、並びにＰＣＣＨ（Ｐａｇｉｎｇ  Ｃｏｎｔｒｏｌ  Ｃｈａｎｎｅｌ）もしくはＳＨＣＣＨ（Ｓｈａｒｅｄ  Ｃｈａｎｎｅｌ  Ｃｏｎｔｒｏｌ  Ｃｈａｎｎｅｌ）を含む。前記ＢＣＣＨは、システムにアクセスするために、端末が利用する情報を含む情報を提供する。前記ＰＣＣＨは、端末にアクセスするために、ＵＴＲＡＮにより使用される。
【００２４】
ＭＢＭＳ（Ｍｕｌｔｉｍｅｄｉａ  Ｂｒｏａｄｃａｓｔ／Ｍｕｌｔｉｃａｓｔ  Ｓｅｒｖｉｃｅ）の目的のために、トラフィック及び制御チャネルがさらに存在する。例えば、ＭＣＣＨ（ＭＢＭＳ  ｐｏｉｎｔ−ｔｏ−ｍｕｌｔｉｐｏｉｎｔ  Ｃｏｎｔｒｏｌ  Ｃｈａｎｎｅｌ）はＭＢＭＳ制御情報を伝送するために使用され、ＭＴＣＨ（ＭＢＭＳ  ｐｏｉｎｔ−ｔｏ−ｍｕｌｔｉｐｏｉｎｔ  Ｔｒａｆｆｉｃ  Ｃｈａｎｎｅｌ）はＭＢＭＳサービスデータを伝送するために使用される。さらに、ＭＳＣＨ（ＭＢＭＳ  ｐｏｉｎｔ−ｔｏ−ｍｕｌｔｉｐｏｉｎｔ  Ｓｃｈｅｄｕｌｉｎｇ  Ｃｈａｎｎｅｌ）はスケジューリング情報を伝送するために使用される。
【００２５】
前記ＭＡＣ層は、トランスポートチャネルで前記物理層に接続され、管理されるトランスポートチャネルの類型によってＭＡＣ−ｂサブレイヤ、ＭＡＣ−ｄサブレイヤ、ＭＡＣ−ｃ／ｓｈサブレイヤ、及びＭＡＣ−ｈｓサブレイヤに区分することができる。前記ＭＡＣ−ｂサブレイヤは、システム情報のブロードキャストを担当するトランスポートチャネルであるＢＣＨ（Ｂｒｏａｄｃａｓｔ  Ｃｈａｎｎｅｌ）を管理する。前記ＭＡＣ−ｄサブレイヤは、特定端末のための専用トランスポートチャネルであるＤＣＨ（Ｄｅｄｉｃａｔｅｄ  Ｃｈａｎｎｅｌ）を管理する。従って、前記ＵＴＲＡＮのＭＡＣ−ｄサブレイヤは、該当端末を管理するＳＲＮＣ（Ｓｅｒｖｉｎｇ  Ｒａｄｉｏ  Ｎｅｔｗｏｒｋ  Ｃｏｎｔｒｏｌｌｅｒ）内に位置し、また１つのＭＡＣ−ｄサブレイヤは各端末（ＵＥ）内に存在する。
【００２６】
前記ＭＡＣ−ｃ／ｓｈサブレイヤは、ＦＡＣＨ（Ｆｏｒｗａｒｄ  Ａｃｃｅｓｓ  Ｃｈａｎｎｅｌ）やＤＳＣＨ（Ｄｏｗｎｌｉｎｋ  Ｓｈａｒｅｄ  Ｃｈａｎｎｅｌ）などのように、複数の端末が共有する共通トランスポートチャネルを管理する。ＵＴＲＡＮにおいて、前記ＭＡＣ−ｃ／ｓｈサブレイヤは、ＣＲＮＣ（Ｃｏｎｔｒｏｌｌｉｎｇ  Ｒａｄｉｏ  Ｎｅｔｗｏｒｋ  Ｃｏｎｔｒｏｌｌｅｒ）内に位置する。前記ＭＡＣ−ｃ／ｓｈサブレイヤがセル領域内の全ての端末が共有しているチャネルを管理することによって、各セル領域内には単一のＭＡＣ−ｃ／ｓｈサブレイヤが存在する。また、１つのＭＡＣ−ｃ／ｓｈサブレイヤは各端末（ＵＥ）内に存在する。
【００２７】
前記ＲＬＣ層は、信頼性のあるデータ伝送をサポートし、上位層から伝達された複数のＲＬＣサービスデータユニット（ＲＬＣ  ＳＤＵ）に対する分割及び結合機能を実行する。前記ＲＬＣ層は、上位層から前記ＲＬＣ  ＳＤＵを受信すると、処理能力を考慮して適した方式で各ＲＬＣ  ＳＤＵのサイズを調節し、ヘッダ情報を追加して所定のデータユニットを生成する。このように生成されたデータユニットをプロトコルデータユニット（ＰＤＵ）といい、前記ＰＤＵは論理チャネルを介して前記ＭＡＣ層に伝送される。前記ＲＬＣ層は、前記ＲＬＣ  ＳＤＵ及び／又はＲＬＣ  ＰＤＵを保存するためのＲＬＣバッファを含む。
【００２８】
前記ＢＭＣ層は、コアネットワークから受信したセルブロードキャストメッセージ（Ｃｅｌｌ  Ｂｒｏａｄｃａｓｔ  Ｍｅｓｓａｇｅ；以下「ＣＢメッセージ」という）をスケジューリングし、前記ＣＢメッセージを特定セルに位置する端末にブロードキャストする。前記ＵＴＲＡＮのＢＭＣ層は、上位層から受信したＣＢメッセージにメッセージＩＤ、シリアルナンバー、及び符号化方式などの情報を追加してＢＭＣメッセージを生成し、前記ＲＬＣ層に伝送する。前記ＢＭＣメッセージは、論理チャネルであるＣＴＣＨを介して前記ＲＬＣ層から前記ＭＡＣ層に伝送される。前記ＣＴＣＨはトランスポートチャネルであるＦＡＣＨにマッピングされ、前記ＦＡＣＨは物理チャネルであるＳ−ＣＣＰＣＨ（Ｓｅｃｏｎｄａｒｙ  Ｃｏｍｍｏｎ  Ｔｒａｆｆｉｃ  Ｃｈａｎｎｅｌ）にマッピングされる。
【００２９】
前記ＲＬＣ層の上位層であるＰＤＣＰ層は、ネットワークプロトコル（ＩＰｖ４又はＩＰｖ６など）で伝送されたデータが、相対的に小さい帯域幅を有する無線インタフェースに効果的に伝送されるようにする。これを達成するために、前記ＰＤＣＰ層は、有線ネットワークで使用される不要な制御情報を減少させる機能を実行し、このような機能をヘッダ圧縮という。
【００３０】
前記第３層（Ｌ３）の最下位には無線リソース制御（Ｒａｄｉｏ  Ｒｅｓｏｕｒｃｅ  Ｃｏｎｔｒｏｌ；ＲＲＣ）層がある。前記ＲＲＣ層は、制御プレーンでのみ定義され、無線ベアラの設定、再設定、及び解除に関する論理チャネル、トランスポートチャネル、及び物理チャネルの制御を担当する。前記無線ベアラサービスとは、端末とＵＴＲＡＮ間のデータ伝送のために前記第２層（Ｌ２）が提供するサービスをいい、一般に、無線ベアラの設定とは、詳細なパラメータ及び動作方法を個別的に設定することだけでなく、特定サービスを提供するために必要なチャネルのプロトコル層及びチャネル特性を規定することをいう。
【００３１】
前記ＲＬＣ層は、上位層に接続された層のタイプによってユーザプレーン又は制御プレーンに属する。すなわち、前記ＲＬＣ層が前記ＲＲＣ層からデータを受信する場合は、前記ＲＬＣ層は制御プレーンに属し、他の場合はユーザプレーンに属する。
【００３２】
以下、前記ＭＡＣヘッダについてより詳細に説明する。図３はＵＴＲＡＮのＭＡＣ層の構造を示す図である。図４〜図７はＵＴＲＡＮのＭＡＣ−ｄ及びＭＡＣ−ｃ／ｓｈサブレイヤの構造を示す図であり、四角形のブロックは前記ＭＡＣ層の各機能を示す。以下、その主な機能について説明する。
【００３３】
前記ＭＡＣ層は、前記ＲＬＣ層と前記物理層との間に存在し、その主要機能は論理チャネルとトランスポートチャネルとをマッピングすることである。前記ＭＡＣ層の上位層のチャネル管理方法と前記ＭＡＣ層の下位層のチャネル管理方法とが異なるため、前記ＭＡＣ層はチャネルマッピングを必要とする。すなわち、前記ＭＡＣ層の上位層においては、チャネル上に伝達されるデータの内容によって、制御プレーンの制御チャネルとユーザプレーンのトラフィックチャネルとに区分される。これに対し、前記ＭＡＣ層の下位層においては、チャネルがどのように共有されるかによって、共通チャネルと専用チャネルとに区分される。従って、前記ＭＡＣ層の上位層と下位層間のチャネルマッピングは非常に重要である。図４はＵＥにおけるチャネルマッピングを示す図であり、チャネルマッピングの関係を示す。
【００３４】
前記ＭＡＣ層の他の主要機能は論理チャネルを多重化することである。前記ＭＡＣ層は、様々な論理チャネルを１つのトランスポートチャネルに多重化することにより、多重化利得を得る。多重化利得は、シグナリング情報又はパケットデータのように間欠的に伝送されるトラフィックのために重要である。回路データの場合、データが継続して伝達されるのではないため、一般的に多重化が使用されず、その結果、多重化利得が相対的にあまり高くない。
【００３５】
前記ＭＡＣ層のチャネルマッピング及び論理チャネル多重化機能は、チャネル選択の柔軟性及びチャネルリソースの効率性の向上に有利であるが、このような利点をサポートするためには所定種類の識別機能が必要である。
【００３６】
識別はＵＥ識別と論理チャネル識別の２つのタイプに分類される。第１に、ＵＥ識別は、共通トランスポートチャネルが複数のＵＥにより共有されるため、共通トランスポートチャネルのために必要である。第２に、論理チャネル識別は、様々な論理チャネルを１つのトランスポートチャネルに多重化するときに必要である。識別の目的のために、前記ＭＡＣ層は、ＴＣＴＦ（Ｔａｒｇｅｔ  Ｃｈａｎｎｅｌ  Ｔｙｐｅ  Ｆｉｅｌｄ）、ＵＥ−ＩＤタイプ、ＵＥ−ＩＤ及び／又はＣ／Ｔ（Ｃｏｎｔｒｏｌ／Ｔｒａｆｆｉｃ）フィールドをＭＡＣ  ＰＤＵのヘッダに挿入する。
【００３７】
より詳細には、ＵＥ識別は、ＤＣＣＨ又はＤＴＣＨなどの専用論理チャネルをＣＰＣＨ、ＤＳＣＨ、又はＵＳＣＨなどの共通トランスポートチャネルにマッピングするときに必要である。このために、前記ＭＡＣ層は、前記ＭＡＣ  ＰＤＵのヘッダのＵＥ−ＩＤフィールドにＲＮＴＩ（Ｒａｄｉｏ  Ｎｅｔｗｏｒｋ  Ｔｅｍｐｏｒａｒｙ  Ｉｄｅｎｔｉｔｙ）を追加する。現在、Ｕ−ＲＮＴＩ（ＵＴＲＡＮ  ＲＮＴＩ）、Ｃ−ＲＮＴＩ（Ｃｅｌｌ  ＲＮＴＩ）、及びＤＳＣＨ−ＲＮＴＩの３種のＲＮＴＩが特定ＵＥを識別するために用いられている。用いられるＲＮＴＩが３種であるので、前記ＭＡＣ  ＰＤＵのヘッダには、どのＲＮＴＩが用いられるかを通知するＵＥ−ＩＤタイプフィールドも追加される。
【００３８】
論理チャネル識別の場合、２つのレベルの論理チャネル識別が適用される。第１のレベルは前記ＴＣＴＦが提供する論理チャネルタイプ識別であり、第２のレベルは前記Ｃ／Ｔフィールドが提供する専用論理チャネル識別である。
【００３９】
前記ＴＣＴＦは、様々なタイプの論理チャネルが多重化されるＦＡＣＨ及びＲＡＣＨなどの共通トランスポートチャネルに必要である。例えば、前記ＢＣＣＨ、ＣＣＣＨ、ＣＴＣＨ、及び１つ以上の専用論理チャネル（ＤＣＣＨ又はＤＴＣＨ）は前記ＦＡＣＨ上で同時にマッピングすることができ、前記ＣＣＣＨ及び１つ以上の専用論理チャネルは前記ＲＡＣＨ上で同時にマッピングすることができる。従って、前記ＴＣＴＦは、前記ＦＡＣＨ及びＲＡＣＨ上の論理チャネルタイプ識別、すなわち前記ＦＡＣＨ又はＲＡＣＨで受信したデータが前記ＢＣＣＨ、ＣＣＣＨ、ＣＴＣＨ、又は専用論理チャネルのうち１つに属するか否かを提供する。
【００４０】
前記ＴＣＴＦが論理チャネルのタイプを識別するものの、論理チャネルのそれぞれを識別するわけではない。前記ＴＣＴＦは、専用論理チャネルを他の論理チャネルと共にマッピングできるとき、トランスポートチャネルのために必要である。従って、前記ＴＣＴＦは、前記論理チャネルが専用論理チャネルであるか他の論理チャネルであるかを識別する。しかし、共通論理チャネルの場合、１つの同一タイプの共通論理チャネルのみを単一のトランスポートチャネル上でマッピングできるため、前記ＴＣＴＦは、共通論理チャネルの場合、論理チャネル識別をさらに提供する。
【００４１】
これとは逆に、１つ以上の専用論理チャネルを前記ＦＡＣＨ又はＲＡＣＨに同時にマッピングできる。すなわち、様々なＤＣＣＨ又はＤＴＣＨを前記ＦＡＣＨ又はＲＡＣＨにマッピングできる。従って、専用論理チャネルの場合、論理チャネルタイプの識別だけでなく、各専用論理チャネルの識別も必要である。前記Ｃ／Ｔフィールドがこの目的を満たす。
【００４２】
各専用論理チャネルの識別は、次の理由のために前記Ｃ／Ｔフィールドを使用して行う。第１に、共通論理チャネルとは異なり、複数の専用論理チャネルは１つのトランスポートチャネルに同時にマッピングできる。第２に、他の共通論理チャネルが前記ＭＡＣ−ｃ／ｓｈにより管理される反面、専用論理チャネルは前記ＳＲＮＣ内のＭＡＣ−ｄにより管理される。同一のトランスポートチャネルにマッピングされる複数の専用論理チャネルは、それぞれ論理チャネル識別値を有する。さらに、この値はＣ／Ｔフィールド値として用いられる。前記トランスポートチャネルのために１つの専用論理チャネルのみ存在する場合、前記Ｃ／Ｔフィールドは使用されない。
【００４３】
次の表１はＦＤＤのために論理チャネルとトランスポートチャネル間のマッピング関係に応じて使用されるＭＡＣヘッダの異なる識別子を示す。表１において、Ｃ／Ｔフィールドは様々な専用論理チャネル（ＤＣＣＨ又はＤＴＣＨ）がマッピングされるときに存在する。また、「Ｎ」はヘッダがないことを示し、「−」はマッピング関係がないことを示し、「ＵＥ−ＩＤ」はＵＥ−ＩＤフィールドとＵＥ−ＩＤタイプフィールドが全て存在することを示す。ＵＥ−ＩＤフィールドは常にＵＥ−ＩＤタイプフィールドと共に存在する。
【００４４】
【表１】
2008537869.tif 000003
上記の表から分かるように、従来技術において、ＢＣＣＨ、ＰＣＣＨ、ＣＣＣＨ、及びＣＴＣＨなどの共通タイプの論理チャネルは、各論理チャネルを識別するＣ／Ｔフィールドを有しない。これは、従来技術においては、同一タイプの様々な共通論理チャネルを単一のトランスポートチャネルに多重化する必要がないためである。その理由は、同一の情報が同一タイプの共通論理チャネル上に伝送されるため、受信端（受信者）が同一タイプの共通論理チャネルを１つ以上同時に受信する必要がないためである。従って、従来技術においては、ＦＡＣＨ又はＲＡＣＨなどの単一の共通トランスポートチャネルは常に１つの同一タイプの共通論理チャネルのみを伝搬し、共通論理チャネルのためのＣ／Ｔフィールドを追加する必要がない。
【００４５】
近年、ＭＢＭＳという新しいタイプのサービスが提案されている。ＭＢＭＳは、単方向の１対多ベアラサービスを利用して、オーディオ、写真、ビデオなどのマルチメディアデータを複数の端末に伝達するＰＳ（パケット交換）ドメインサービスである。前記ＵＭＴＳネットワーク１がマルチキャストモードを利用して特定ＭＢＭＳを提供するとき、前記サービスが提供されるＵＥは、まず、個別的にサービスプロバイダと各ＵＥ間の関係を設定する加入手続きを完了しなければならない。その後、加入者ＵＥは加入を確認し、例えば、提供されるサービスリストを含むサービス案内をコアネットワーク２００から受信する。
【００４６】
ＭＢＭＳデータは、複数のユーザが共有するので、従来技術のように共通論理チャネルで伝送しなければならない。しかし、ＭＢＭＳはマルチメディアサービスであるので、同一のサービスにおいて異なるＱｏＳの複数のサービス又は異なるＱｏＳの複数のストリームが単一のＵＥ又は異なるＵＥに提供される。すなわち、複数の同一タイプの共通論理チャネルをＭＢＭＳの提供時に同一のトランスポートチャネルにマッピングする必要がある。
【発明の開示】
【発明が解決しようとする課題】
【００４７】
従来技術においては、通常、複数の同一タイプの共通論理チャネルが同一のトランスポートチャネルにマッピングされない。１つの問題は、ＭＡＣヘッダに共通論理チャネル識別子がないということである。他の問題は、ＭＡＣ−ｃ／ｓｈに識別機能がないということである。従って、ＭＢＭＳ又は他のタイプのパケット交換（ＰＳ）ドメインサービスを提供しようとするとき、共通論理チャネル識別の新しい機能化が考慮されなければならない。
【００４８】
また、ＭＢＭＳにおいては、ＭＢＭＳサービスとＭＴＣＨ（ＭＢＭＳ  Ｔｒａｆｆｉｃ  Ｃｈａｎｎｅｌ）などの共通論理チャネル間の１対１マッピング関係がある。従って、前述のように、ＭＢＭＳの提供時、複数の同一タイプの共通論理チャネルが同一のトランスポートチャネルにマッピングされるため、複数のＭＢＭＳサービスは同一のトランスポートチャネルで伝送される。その結果、移動端末は同一のトランスポートチャネルで伝送される異なるサービスを同時に受信できる。
【００４９】
異なるＭＢＭＳサービスは全世界的にＭＢＭＳサービス識別子により識別される。しかし、数多くの異なるサービスが存在する可能性がある。ＭＢＭＳサービス識別子が使用される場合、ＭＢＭＳサービス識別子を含むＭＡＣヘッダは、移動端末が異なるサービスを区別できるようにサイズが非常に大きく、伝送中に大きなオーバーヘッドが存在する。従って、ＭＡＣヘッダを小さいサイズに維持すると共に異なるサービスを識別するための方法が必要である。
【課題を解決するための手段】
【００５０】
本発明は、特定トランスポートチャネルで伝送されている複数の１対多サービスのうち１対多サービスを識別するためのＴＳＩに関する。
【００５１】
本発明の追加の特性と利点は、後述する発明の詳細な説明に開示され、部分的には下記の説明により明らかになるか、本発明の実施により理解されるであろう。本発明の目的及び利点は、添付の図面だけでなく、下記の説明及び特許請求の範囲に開示される構造により実現される。
【００５２】
本発明の目的による利点を得るために、本発明の一実施形態は、無線通信システムにおいてトランスポートチャネルで伝送されている複数の１対多サービスのうち１対多サービスを識別するための方法を提供し、前記方法は、前記１対多サービスを識別する１対多サービス識別子を前記複数の１対多サービスのそれぞれに割り当てる段階と、前記複数の１対多サービスのそれぞれへの前記１対多サービス識別子の割当を示すためのマッピング情報を生成する段階と、前記マッピング情報を移動端末に伝送する段階と、前記複数の１対多サービスの少なくとも１つに関連する少なくとも１つのプロトコルデータユニットを生成するための媒体アクセス制御層を提供する段階と、前記媒体アクセス制御層で前記少なくとも１つのプロトコルデータユニットを生成する段階と、前記マッピング情報によって、前記少なくとも１つのプロトコルデータユニットに、前記複数の１対多サービスの少なくとも１つに割り当てられた前記１対多サービス識別子を添付する段階と、前記割り当てられた１対多サービス識別子を含む前記少なくとも１つのプロトコルデータユニットを、前記トランスポートチャネルで前記移動端末に伝送する段階とを含む。
【００５３】
本発明の一態様において、前記１対多サービス識別子の割当はネットワークの無線リソース制御層により行われる。前記マッピング情報は前記ネットワークの無線リソース制御層で生成される。
【００５４】
本発明のより詳細な態様において、前記ネットワークの無線リソース制御層は、前記ネットワークの媒体アクセス制御層に前記マッピング情報を伝達する。また、前記ネットワークの無線リソース制御層は、前記移動端末の無線リソース制御層に前記マッピング情報を伝送する。前記移動端末の無線リソース制御層は、前記移動端末の媒体アクセス制御層に前記マッピング情報を伝達することが好ましい。
【００５５】
本発明の他の態様において、前記トランスポートチャネルはＦＡＣＨである。前記プロトコルデータユニットは共通論理チャネルＭＴＣＨで伝送される。
【００５６】
前記方法は、前記１対多サービスのそれぞれに割り当てられた前記１対多サービス識別子の値をネットワークの媒体アクセス制御層に伝達する段階と、前記１対多サービス識別子の値を前記移動端末の無線リソース制御層に伝送する段階とをさらに含むことが好ましい。また、前記移動端末の無線リソース制御層は、前記１対多サービス識別子の値を前記移動端末の媒体アクセス制御層に伝達する。
【００５７】
本発明のさらに他の態様において、前記１対多サービス識別子は４ビットの長さを有し、前記トランスポートチャネルは最大１６個の１対多サービスを伝送する。前記１対多サービス識別子は、前記少なくとも１つのプロトコルデータユニットのヘッダに添付されることが好ましい。
【００５８】
本発明の他の実施形態において、無線通信システムにおいて移動端末によりトランスポートチャネルで受信されている複数の１対多サービスのうち１対多サービスを識別するための方法は、前記複数の１対多サービスのそれぞれへの１対多サービス識別子の割当を示すためのマッピング情報をネットワークから受信する段階と、前記複数の１対多サービスの少なくとも１つに関連し、かつ前記複数の１対多サービスの少なくとも１つに割り当てられた１対多サービス識別子が添付される少なくとも１つのプロトコルデータユニットを媒体アクセス制御層で受信する段階と、前記割り当てられた１対多サービス識別子を前記マッピング情報と共に評価することにより、前記少なくとも１つのプロトコルデータユニットを処理することを決定する段階とを含む。
【００５９】
本発明の一態様において、前記１対多サービス識別子の割当は前記ネットワークの無線リソース制御層により行われる。前記マッピング情報は前記ネットワークの無線リソース制御層で生成される。
【００６０】
本発明のより詳細な態様において、前記移動端末の無線リソース制御層は、前記ネットワークの無線リソース制御層から前記マッピング情報を受信する。前記移動端末の無線リソース制御層は、前記マッピング情報を前記移動端末の媒体アクセス制御層に伝達することが好ましい。
【００６１】
本発明の他の態様において、前記トランスポートチャネルはＦＡＣＨである。
【００６２】
前記方法は、前記１対多サービスのそれぞれに割り当てられた前記１対多サービス識別子の値を受信する段階をさらに含み、ここで、前記１対多サービス識別子の値は、前記ネットワークの無線リソース制御層で生成され、前記移動端末の無線リソース制御層に伝送されることが好ましい。また、前記移動端末の無線リソース制御層は、前記１対多サービス識別子の値を前記移動端末の媒体アクセス制御層に伝達する。
【００６３】
本発明のさらに他の態様において、前記１対多サービス識別子は４ビットの長さを有し、前記トランスポートチャネルは最大１６個の１対多サービスを受信する。また、前記１対多サービス識別子は、前記少なくとも１つのプロトコルデータユニットのヘッダに添付される。
【００６４】
本発明のさらに他の態様において、前記決定する段階は、前記割り当てられた１対多サービス識別子を読み出す段階と、前記マッピング情報を読み出すことにより、前記割り当てられた１対多サービス識別子に該当する１対多サービスマッチングを決定する段階とを含み、ここで、前記１対多サービスマッチングが前記移動端末が受信しようとするサービスである場合、前記少なくとも１つのプロトコルデータユニットが処理され、前記１対多サービスマッチングが前記移動端末が受信しようとするサービスでない場合、前記少なくとも１つのプロトコルデータユニットが廃棄される。
【００６５】
本発明の前述した一般的な説明と後述する詳細な説明は例示して説明したもので、特許請求の範囲に記載の本発明に関する説明をさらに提供しようとするものであることを理解しなければならない。
【発明を実施するための最良の形態】
【００６６】
以下、添付の図面を参照して本発明の好ましい実施形態を詳細に説明する。
【００６７】
本発明は、特定トランスポートチャネルで伝送されている複数のＭＢＭＳサービスのうち特定ＭＢＭＳサービスを識別するためのＴＳＩに関する。本発明は、ＭＢＭＳサービスに該当する媒体アクセス制御層データユニットのヘッダにＴＳＩフィールドを挿入し、前記データユニットを特定トランスポートチャネルで移動端末に伝送することで実現される。前記移動端末は、ＵＴＲＡＮから受信したマッピング情報によって前記データユニットを受信することを決定し、ここで、前記マッピング情報は、前記移動端末にＴＳＩフィールド値がどのＭＢＭＳサービスに割り当てられるかを通知する。
【００６８】
図９及び図１０は本発明の一実施形態によるＭＡＣ  ＰＤＵフォーマットを示す図であり、前記ＭＡＣ  ＰＤＵフォーマットは、ＭＴＣＨなどの共通論理チャネルのデータがＦＡＣＨなどの共通トランスポートチャネルで伝達されるときに使用される。また、これはＴＣＴＦ及びＴＳＩフィールドが前記ＭＡＣ  ＰＤＵのヘッダから構成され、ＭＡＣ  ＳＤＵが前記ＭＡＣ  ＰＤＵのペイロードから構成されることを示す。
【００６９】
図９及び図１０を参照すると、２つのタイプのＭＡＣ  ＰＤＵフォーマットがあることが好ましい。図９に示すように、第１のタイプにおいて、前記ＭＡＣ  ＰＤＵのヘッダは、ＴＣＴＦ及びＴＳＩフィールドから構成される。このタイプのＭＡＣ  ＰＤＵは、ＦＡＣＨなどのトランスポートチャネルが異なるタイプの論理チャネルを伝搬するときに使用される。ここで、前記ＴＣＴＦフィールドは論理チャネルのタイプを識別し、前記ＴＳＩフィールドは前記論理チャネル上で伝送されているＭＢＭＳサービスを識別する。
【００７０】
図１０に示すように、第２のタイプにおいて、前記ＭＡＣ  ＰＤＵのヘッダは、論理チャネル上で伝送されているＭＢＭＳサービスを識別するためのＴＳＩフィールドから構成される。これにより、ＴＣＴＦフィールドは含まれない。このタイプのＭＡＣ  ＰＤＵは、トランスポートチャネルが１つのタイプの共通論理チャネルのみを伝搬できるときに使用される。ここで、前記ＴＳＩフィールドは前記第１のタイプと同様にヘッダ内に含まれるが、トランスポートチャネル自体が論理チャネルのタイプを識別するため、前記ＴＣＴＦフィールドは必要でない。
【００７１】
従って、ＴＣＴＦフィールドは、トランスポートチャネルが１つ以上のタイプの論理チャネルを伝搬できるとき、前記ＭＡＣ  ＰＤＵのヘッダ内に存在する。さらに、ＴＳＩフィールドは、１つ以上のＭＢＭＳサービスがトランスポートチャネルに多重化されるとき、前記ＭＡＣ  ＰＤＵのヘッダ内に存在する。
【００７２】
図１１は本発明の一実施形態によるＵＴＲＡＮのＭＡＣ構造を示す図である。図１２は本発明の一実施形態による移動端末のＭＡＣ構造を示す図である。
【００７３】
図１１及び図１２を参照すると、ＭＴＣＨなどの共通論理チャネルが多重化されるとき、前記ＭＡＣはＴＳＩ多重化（ＭＵＸ）機能を実行する。前記ＭＴＣＨが１つのトランスポートチャネルに多重化されるとき、前記ＭＡＣはＴＳＩ  ＭＵＸ機能を実行することが好ましい。ＵＴＲＡＮにおけるＭＡＣのＴＳＩ  ＭＵＸ機能は、ＭＢＭＳサービスを識別するためのＴＳＩフィールドを該当ＭＡＣ  ＰＤＵのヘッダ内に挿入する。移動端末におけるＭＡＣのＴＳＩ  ＭＵＸ機能は、前記受信したＭＡＣ  ＰＤＵのヘッダから前記ＭＢＭＳサービスを識別するＴＳＩフィールド情報を読み出した後、前記ＴＳＩフィールドを前記ＭＡＣ  ＰＤＵから除去する。
【００７４】
図１３は本発明の一実施形態によるＴＳＩフィールド値の割当を示す図である。ＵＴＲＡＮのＲＲＣ層は、ＦＡＣＨなどの１つのトランスポートチャネルを多重化するための様々なＭＢＭＳサービスのグループ化を管理し、各ＭＢＭＳサービスにＴＳＩフィールド値を割り当てる。前記ＴＳＩが割り当てられる時間は明確に又は暗示的に与えられる。例えば、前記割当は、前記移動端末がセルを変更するまで、又は前記割当が変化するまで有効である。さらに、前記ＴＳＩはアクティブＭＢＭＳサービスの寿命の間に周期的に伝送されることが好ましい。ＭＢＭＳにおいて、ＭＢＭＳサービスとＭＴＣＨなどの共通論理チャネル間には１対１の関係がある。従って、前記ＵＴＲＡＮのＲＲＣ層は、１つのトランスポートチャネルに多重化するための個別的なＭＢＭＳサービスを伝搬する様々な共通論理チャネルのグループ化をも管理する。さらに、前記ＵＴＲＡＮのＲＲＣ層は、どのＴＳＩフィールド値がどのＭＢＭＳサービスに割り当てられるかを示すためのマッピング情報を生成する。
【００７５】
前記ＴＳＩフィールドはサイズが小さい。このように、前記ＴＳＩはサービス区分を少ししかできない。しかし、その少数のサービスが正常な環境下で同時に活発に伝送されるとすると、４ビットのようにサイズの小さいＴＳＩがオーバーヘッドを低く維持するために好ましい。さらに、伝送ブロックが３３６ビットのサイズであり、可能なサービスの数が４０００個に限定されると仮定すると、これは従来技術の識別フィールドが１２ビットのサイズを必要とすることを意味する。これは３．５％のオーバーヘッドとなる。しかし、本発明においては、例えば、４ビットのサイズを有するＴＳＩフィールドが最大１６個のサービスを識別するのに使用されるとすると、オーバーヘッドは１．２％に減少する。
【００７６】
以下、図１３を参照してＴＳＩフィールド値を割り当てるための方法を説明する。ＵＴＲＡＮのＲＲＣ層がＴＳＩフィールド値をそのそれぞれのＭＢＭＳサービスに割り当ててマッピング情報を生成した後、前記ＲＲＣ層は、ＴＳＩフィールド値、マッピング情報、及び複数のＭＢＭＳサービスの特定トランスポートチャネルへの多重化に関するＭＢＭＳサービス多重化情報をＵＴＲＡＮの媒体アクセス制御（ＭＡＣ）層に伝達する（Ｓ１０）。
【００７７】
また、前記ＵＴＲＡＮのＲＲＣ層は、ＴＳＩフィールド値、マッピング情報、及びＭＢＭＳサービス多重化情報を移動端末又はＵＥのＲＲＣ層に伝達する（Ｓ２０）。前記情報は１回又は周期的に送られる。
【００７８】
前記ＴＳＩフィールド値、マッピング情報、及びＭＢＭＳサービス多重化情報は、特定トランスポートチャネルを受信する全ての移動端末のＲＲＣ層に伝達されることが好ましい。前記ＴＳＩフィールド値、マッピング情報、及びＭＢＭＳサービス多重化情報を受信した移動端末のＲＲＣ層は、前記受信した情報を前記移動端末のＭＡＣ層に伝達する（Ｓ３０）。
【００７９】
図１４は本発明の一実施形態によるデータ伝送を示す図である。ここで、複数のＭＢＭＳサービスはＦＡＣＨなどの１つの共通トランスポートチャネルに多重化される。さらに、各ＭＢＭＳサービスはＭＴＣＨなどのそれぞれの共通論理チャネル上に伝送される。
【００８０】
以下、図１４を参照して特定トランスポートチャネルで複数のＭＢＭＳサービスを伝送するための方法を説明する。前記方法は、複数のＭＢＭＳサービスのデータユニットを特定トランスポートチャネルに多重化する段階と、前記多重化されたデータユニットを移動端末に伝送する段階と、前記伝送されたデータユニットを前記移動端末で逆多重化する段階とを含む。前記多重化する段階は、複数の共通論理チャネルで受信したデータを多重化する段階と、プロトコルデータユニット（ＰＤＵ）を生成するために、前記受信したデータのヘッダにＴＳＩフィールドを添付する段階と、前記生成されたＰＤＵを前記特定トランスポートチャネルで伝送する段階とを含む。
【００８１】
前記逆多重化する段階は、前記特定トランスポートチャネルでデータユニットを受信する段階と、前記受信したデータのＴＳＩフィールドを確認する段階と、マッピング情報によって前記受信したデータを逆多重化することを決定する段階と、前記移動端末で上位層に受信されるように決定されたデータをＴＳＩにより選定された共通論理チャネルで伝送する段階とを含む。
【００８２】
図１４をさらに参照すると、２つのＭＢＭＳサービスが同一のトランスポートチャネルで伝送されることが示されているが、本発明の一実施形態によって、最大１６個のサービスが同一のトランスポートチャネルで伝送されることが好ましい。また、ＭＢＭＳ＃１及びＭＢＭＳ＃２を伝搬する共通論理チャネルＭＴＣＨ＃１及びＭＴＣＨ＃２は、それぞれ１つの共通トランスポートチャネルＦＡＣＨに多重化されることが好ましい。ＵＴＲＡＮにおけるＲＬＣエンティティ＃１の対応エンティティは移動端末又はＵＥにおけるＲＬＣエンティティ＃１であり、ＵＴＲＡＮにおけるＲＬＣエンティティ＃２の対応エンティティは移動端末におけるＲＬＣエンティティ＃２である。
【００８３】
複数のＭＢＭＳサービスを特定トランスポートチャネルで伝達するための方法は次の通りである。第１に、ＵＴＲＡＮのＲＬＣエンティティ＃１は、サービスＭＢＭＳ＃１のためにＭＡＣ  ＳＤＵ＃１を生成し、ＭＡＣ  ＳＤＵ＃１をＭＴＣＨ＃１でＵＴＲＡＮのＭＡＣ層に伝達する（Ｓ１１０）。一方、ＵＴＲＡＮのＲＬＣエンティティ＃２は、サービスＭＢＭＳ＃２のためにＭＡＣ  ＳＤＵ＃２を生成し、ＭＡＣ  ＳＤＵ＃２をＭＴＣＨ＃２でＵＴＲＡＮのＭＡＣ層に伝達する（Ｓ１２０）。
【００８４】
すると、ＵＴＲＡＮのＭＡＣ層は、ＭＴＣＨ＃１及びＭＴＣＨ＃２を多重化し、ＭＡＣ  ＳＤＵ＃１にＴＳＩフィールドを含むＭＡＣヘッダを添付して、ＭＡＣ  ＰＤＵ＃１を構成する（Ｓ１３０）。ここで、ＭＡＣ  ＰＤＵ＃１のヘッダに含まれるＴＳＩフィールド値は、ＭＡＣ  ＰＤＵ＃１がＭＢＭＳ＃１に関連するものであることを識別するだけでなく、共通論理チャネルＭＴＣＨ＃１を示す。前述のように、マッピング情報と共にＴＳＩフィールド値は、ＵＴＲＡＮのＲＲＣ層からＭＡＣ層に受信される。従って、ＭＡＣ  ＳＤＵがＭＡＣ層で受信されることにより、前記ＭＡＣ層は前記マッピング情報によってどのＴＳＩフィールド値がどのＭＢＭＳサービスとマッピングされるかが分かる。ここで、ＭＢＭＳ＃１に該当するＭＡＣ  ＳＤＵ＃１が受信されることによって、前記ＭＡＣ層は、前記マッピング情報によってＭＢＭＳ＃１に該当するＴＳＩフィールド値を有するヘッダを添付して、ＭＡＣ  ＰＤＵ＃１を構成する。
【００８５】
同様の方法で、ＭＡＣ  ＳＤＵ＃２にＴＳＩフィールドを含むＭＡＣヘッダを添付して、ＭＡＣ  ＰＤＵ＃２を構成する（Ｓ１３０）。ＭＡＣ  ＰＤＵ＃２のヘッダに含まれるＴＳＩフィールド値は、ＭＡＣ  ＰＤＵ＃２がＭＢＭＳ＃２に関連するものであることを識別するだけでなく、共通論理チャネルＭＴＣＨ＃２を示す。さらに、前記ＵＴＲＡＮのＲＲＣ層からＭＡＣ層に受信されたマッピング情報のために、前記ＭＡＣ層は、前記受信したＴＳＩフィールド値とＭＢＭＳサービス間のマッピング関係を認識する。従って、ＭＢＭＳ＃２に該当するＭＡＣ  ＳＤＵ＃２が前記ＭＡＣ層で受信されることにより、前記ＭＡＣ層は、前記マッピング情報によってＭＢＭＳ＃２に該当するＴＳＩフィールド値を有するヘッダを添付して、ＭＡＣ  ＰＤＵ＃２を構成する。
【００８６】
前記ＵＴＲＡＮのＭＡＣ層は、ＭＡＣ  ＰＤＵ＃１及びＭＡＣ  ＰＤＵ＃２を同一のトランスポートチャネルＦＡＣＨで前記ＵＴＲＡＮの物理層に伝達する（Ｓ１４０）。すると、ＭＡＣ  ＰＤＵ＃１及びＭＡＣ  ＰＤＵ＃２は、エアインタフェースを介して前記移動端末の物理層に伝送される。前記移動端末の物理層は、受信したＭＡＣ  ＰＤＵ＃１及びＭＡＣ  ＰＤＵ＃２を、前記移動端末の同一のトランスポートチャネルＦＡＣＨで前記移動端末のＭＡＣ層に伝達する。
【００８７】
ＭＡＣ  ＰＤＵ＃１及びＭＡＣ  ＰＤＵ＃２を受信した後、前記移動端末のＭＡＣ層は、受信したＭＡＣ  ＰＤＵに含まれるＴＳＩフィールドを確認し、これにより、前記ＭＡＣ  ＰＤＵを受信することを決定する（Ｓ１５０）。前記ＭＡＣ層は、前記ＭＡＣ  ＰＤＵのヘッダからＴＳＩフィールド値を検出し、前記受信したＭＡＣ  ＰＤＵが前記移動端末が加入しているＭＢＭＳサービスに関連するものであるか否かを決定することが好ましい。前記ＭＡＣ  ＰＤＵが前記移動端末が加入しているＭＢＭＳサービスに関連するものである場合、前記移動端末は前記ＭＡＣ  ＰＤＵを受信し続ける。前記ＭＡＣ  ＰＤＵが前記移動端末が加入しているＭＢＭＳサービスに関連するものでない場合、前記移動端末は前記ＭＡＣ  ＰＤＵを廃棄する。
【００８８】
前記ＵＴＲＡＮのＲＲＣ層から受信し、前記移動端末のＲＲＣ層から受信した前記マッピング情報を利用して、前述のように、前記移動端末のＭＡＣ層は、前記ＭＡＣ  ＰＤＵが加入しているＭＢＭＳサービスに関連するものであるか否かを決定する。特に、前記移動端末のＭＡＣ層は、前記マッピング情報による該当ＭＢＭＳサービスと前記受信したＴＳＩフィールド値をマッチさせる。該当ＭＢＭＳサービスが前記移動端末が加入しているサービスである場合、前記移動端末はＭＡＣ  ＳＤＵを抽出して上位層に伝送する。これに対し、該当ＭＢＭＳサービスが前記移動端末が加入していないサービスである場合、前記移動端末は前記ＭＡＣ  ＰＤＵを廃棄する。
【００８９】
前記ＭＡＣ  ＰＤＵが受信されるように決定されると、前記移動端末のＭＡＣ層も前記ＭＡＣ  ＰＤＵが伝送される共通論理チャネルに関する情報のためのＴＳＩフィールドを確認することが好ましい。ここで、ＭＡＣ  ＰＤＵ＃１及びＭＡＣ  ＰＤＵ＃２が受信されるように決定されると、前記移動端末のＭＡＣ層は、前記ＭＡＣ  ＰＤＵの個別的なＴＳＩフィールドを確認し、前記受信したＭＡＣ  ＰＤＵの処理を行うべきか否かを決定する（Ｓ１５０）。
【００９０】
従って、検出されたＴＳＩフィールドが共通論理チャネルＭＴＣＨ＃１を示す場合、該当ＭＡＣ  ＳＤＵ＃１はＭＴＣＨ＃１で前記移動端末のＲＬＣエンティティ＃１に伝達される（Ｓ１６０）。ここで、受信が正確であれば、前記移動端末はＭＴＣＨ＃１に該当するＭＡＣ  ＳＤＵがＭＡＣ  ＳＤＵ＃１であることを確認する。同様に、検出されたＴＳＩフィールドが共通論理チャネルＭＴＣＨ＃２を示す場合、該当ＭＡＣ  ＳＤＵ＃２はＭＴＣＨ＃２で前記移動端末のＲＬＣエンティティ＃２に伝達される（Ｓ１７０）。ここで、受信が正確であれば、前記移動端末はＭＴＣＨ＃２に該当するＭＡＣ  ＳＤＵがＭＡＣ  ＳＤＵ＃２であることを確認する。
【００９１】
これにより、本発明においては、ＵＴＲＡＮ及び移動端末のＭＡＣ層が個別的な共通論理チャネルで伝送された複数のＭＢＭＳサービスのために多重化と逆多重化をそれぞれ行う。ＴＳＩフィールド値が各ＭＢＭＳサービスを識別するのに用いられ、同一のトランスポートチャネルへの複数のＭＢＭＳサービスの多重化が可能になる。その結果、大きなオーバーヘッドを有するグローバルＭＢＭＳ識別子の使用が不要であるので、オーバーヘッドが減少する。さらに、同一のサービスにおいて異なるＱｏＳの複数のサービス又は異なるＱｏＳの複数のストリームを単一の移動端末に提供することができ、これは次世代移動通信システムのための基本特性である。このように、本発明の意義及び提案を多様なタイプの無線通信方式に適用しようとすることは、本技術分野における通常の知識を有する者であれば明らかに理解するであろう。
【００９２】
本発明は、移動通信に関連して説明されたが、無線通信特性を備えたＰＤＡ及びラップトップコンピュータのような移動装置を使用する他の無線通信システムにも適用できる。また、本発明を説明するために使用された特定用語は本発明の権利範囲をＵＭＴＳのような特定無線通信システムに限定するものではない。さらに、本発明は、例えばＴＤＭＡ、ＣＤＭＡ、ＦＤＭＡ、ＷＣＤＭＡなどの他のエアインタフェース及び／又は他の物理層を使用する他の無線通信システムにも適用できる。
【００９３】
本実施形態は、ソフトウェア、ファームウェア、ハードウェア、又はこれらの組み合わせを生産するための標準プログラム及び／又はエンジニアリング技術を利用して製造方法、装置、又は製造物として実行できる。ここで、「製造物」という用語は、ハードウェアロジック（例えば、集積回路チップ、ＦＰＧＡ（Ｆｉｅｌｄ  Ｐｒｏｇｒａｍｍａｂｌｅ  Ｇａｔｅ  Ａｒｒａｙ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）など）、コンピュータ可読媒体（例えば、磁気記録媒体（例えば、ハードディスクドライブ、フロッピー（登録商標）ディスク、テープなど））、光記録装置（ＣＤ−ＲＯＭ、光ディスクなど）、又は揮発性／不揮発性メモリ装置（例えば、ＥＥＰＲＯＭ、ＲＯＭ、ＰＲＯＭ、ＲＡＭ、ＤＲＡＭ、ＳＲＡＭ、ファームウェア、プログラムロジックなど）において実行されるコードやロジックを示す。
【００９４】
コンピュータ可読媒体内のコードはプロセッサにより接続及び実行される。本実施形態を実行するコードは伝送媒体を通じて、又はネットワーク上のファイルサーバから接続することもできる。その場合、前記コードが実行される製造物は、ネットワーク転送ライン、無線伝送媒体、空中を伝播する信号、無線波、赤外線信号などの伝送媒体を含む。もちろん、当該技術分野における通常の知識を有する者であれば、本発明の要旨を逸脱しない範囲においてこのような構成の多様な変形が可能であり、前記製造物が公知の情報伝送媒体も含むことができるという点を理解できるであろう。
【００９５】
前述した実施形態と利点は本発明を制限するものでなく、単なる例示にすぎない。本発明は、他のタイプの装置にも容易に適用できる。本発明の詳細な説明は特許請求の範囲を制限するものでなく、単なる説明の便宜のためのものである。当該技術分野における通常の知識を有する者であれば多様な代案、変更、変形が可能であることを理解できるであろう。請求項において、ミーンズプラスファンクションクレーム（ｍｅａｎｓ−ｐｌｕｓ−ｆｕｎｃｔｉｏｎ  ｃｌａｕｓｅｓ）は列挙された機能を実行するものであり、ここに記載された構造、構造的同等物だけでなく均等な構造をも含む。
【図面の簡単な説明】
【００９６】
本発明の理解を助けるために添付され、本明細書の一部を構成する図面は、本発明の多様な実施形態を示し、明細書と共に本発明の原理を説明する。
【図１】一般的なＵＭＴＳネットワークの構造を示すブロック図である。
【図２】３ＧＰＰ無線アクセスネットワークの標準に準拠した端末とＵＴＲＡＮ間の無線インタフェースプロトコルの構造を示すブロック図である。
【図３】ＵＴＲＡＮのＭＡＣ層の一般的な構造を示すブロック図である。
【図４】移動端末のＭＡＣ−ｃ／ｓｈの一般的な構造を示す図である。
【図５】ＵＴＲＡＮのＭＡＣ−ｃ／ｓｈの一般的な構造を示す図である。
【図６】移動端末のＭＡＣ−ｄの一般的な構造を示す図である。
【図７】ＵＴＲＡＮのＭＡＣ−ｄの一般的な構造を示す図である。
【図８】論理チャネルとトランスポートチャネル間の（ＵＥ側における）マッピング関係を示す図である。
【図９】本発明の一実施形態によるＭＡＣ  ＰＤＵフォーマットを示す図である。
【図１０】本発明の一実施形態によるＭＡＣ  ＰＤＵフォーマットを示す図である。
【図１１】本発明の一実施形態によるＵＴＲＡＮのＭＡＣ構造を示す図である。
【図１２】本発明の一実施形態による移動端末のＭＡＣ構造を示す図である。
【図１３】本発明の一実施形態によるＴＳＩフィールド値の割当を示す図である。
【図１４】本発明の一実施形態によるデータ伝送を示す図である。
【図３】
2008537869.tif 000004
【図８】
2008537869.tif 000005
【図９】
2008537869.tif 000006
【図１０】
2008537869.tif 000007
【図１】
2008537869.tif 000008
【図２】
2008537869.tif 000009
【図４】
2008537869.tif 000010
【図５】
2008537869.tif 000011
【図６】
2008537869.tif 000012
【図７】
2008537869.tif 000013
【図１１】
2008537869.tif 000014
【図１２】
2008537869.tif 000015
【図１３】
2008537869.tif 000016
【図１４】
2008537869.tif 000017
【国際調査報告】
2008537869.tif 000018
2008537869.tif 000019